(57)【要約】  【課題】  窓枠に設置した後、窓枠の長さに応じて長尺日除け部材の長さを簡易な操作で調節することが可能なボトムレールの下限位置決め機構を提供する。  【解決手段】  長手方向に沿って所定間隔で複数の係合部３、３を配列し、ボトムレール１の裏面に嵌着して取り付けられる位置決め部材２と、ボトムレール１に穿設された貫通孔６を貫通するようにして挿通した昇降コード５の末端に固着され、位置決め部材２の係合部３と係合する係合固定部材４とを備え昇降コード５の末端に固着された係合固定部材４をボトムレール１の裏面に嵌着した位置決め部材２に設けられた複数の係合部３、３の中から選ばれた１つの係合部３に係合することにより昇降コード５の長さを決定することを特徴とする。  【選択図】  図１
2010112060.tif 000002
【特許請求の範囲】
【請求項１】
窓枠に装着する長尺日除け部材を昇降させる昇降コードの上端をヘッドボックス内の回転軸に固着して捲回可能とすると共に、当該昇降コードの下端を長尺日除け部材のボトムレールに固定し、前記昇降コードのヘッドボックスからボトムレールまでの長さを調整することにより長尺日除け部材の長さを調節するボトムレールの下限位置決め機構において、
長手方向に沿って所定間隔で複数の係合部を配列し、前記ボトムレールの裏面に嵌着して取り付けられる位置決め部材を備え、
前記昇降コードの末端を前記ボトムレールの裏面に嵌着した前記位置決め部材に設けられた複数の係合部の中から選ばれた１つの係合部に係合することにより前記昇降コードの長さを決定することを特徴とするボトムレールの下限位置決め機構。
【請求項２】
前記位置決め部材は、前記ボトムレール裏側の貫通孔の近傍に嵌着したことを特徴とする請求項１に記載のボトムレールの下限位置決め機構。
【請求項３】
前記位置決め部材は、前記ボトムレールの両端側にそれぞれ穿設された貫通孔であって前記長尺日除け部材に備えられた２本の昇降コードがそれぞれ挿通される各貫通孔の近傍に左右対称に配置され、各昇降コードの末端に固着した各係合固定部材をそれぞれの前記位置決め部材に設けられた複数の係合部の中から選ばれた１つの係合部に係合することにより前記２本の昇降コードの長さを決定することを特徴とする請求項１または請求項２に記載のボトムレールの下限位置決め機構。
【請求項４】
前記昇降コードの端末には係合固定部材が取着され、前記係合固定部材を前記位置決め部材の前記係合部に係合することにより前記昇降コードの端末を前記位置決め部材に固定することを特徴とする請求項１乃至請求項３のいずれか１項に記載のボトムレールの下限位置決め機構。
【発明の詳細な説明】
【技術分野】
【０００１】
本発明は、横型ブラインド、プリーツスクリーン、ローマンシェードなどの長尺日除け部材に設けた昇降コードの末端の位置を調整してこれらの下限位置を決めるボトムレールの下限位置決め機構に関する。
【背景技術】
【０００２】
窓枠に装着する横型ブラインド、プリーツスクリーン、ローマンシェード等の長尺日除け部材は、その下端に配置したボトムレールの下限位置を調節することによりその長さを決めている。そして、ボトムレールの位置の調節は、その末端が長尺日除け部材のボトムレールに固定された昇降コードの長さを適宜調節することによって行われていた。長尺日除け部材の昇降コードの長さは予め出荷時に調整決定されている。従って、窓枠に装着した後のボトムレールの位置の微調整は、窓枠に装着された長尺日除け部材の昇降コードを巻取り、捲き戻しして長尺日除け部材を昇降させて昇降コードの長さを決定し、その位置で昇降コードをボトムレールに改めて固定し直すことによって調節している。また、横型ブラインド等では、ヘッドボックス内の回転軸などに固着したスラットの傾きを調節するラダーコードの末端をボトムレールに固定しているが、その固定位置を調節することによって長尺日除け部材の長さが調節されていた。
【０００３】
例えば、長尺日除け部材の長さを決定するものとして特許文献１に開示された発明は、ラダーコードの末端をボトムレール内に配置したラダーコードの巻取りドラムに固着し、この巻取りドラムを回転してラダーコードの長さを調節して固定し、ボトムレールの下限位置を調節するというものである。
【０００４】
また、特許文献２に開示された発明は、ボトムレール内に摺動する移動部材を配置し、この移動部材をラダーコード末端に固着して、この移動部材をボトムレールの長手方向に移動させて位置決定して固着し、ラダーコードの長さを調節することにより長尺日除け部材の長さを決定するというものである。
【０００５】
さらに、特許文献３に開示された発明は、プリーツスクリーンの昇降コードの末端にボトムレール内に装着する昇降コード固定機構を取り付け、この固定機構はボトムレールの面に沿って回転する回転体を回転して昇降コードを巻取り捲き戻してボトムレールの位置を定めてプリーツスクリーンの長さを調整し、この回転体の回転をロックすることにより昇降コードの長さを決定してボトムレールの下限位置を決めるというものである。
【０００６】
【特許文献１】特許第３６９５６９１号公報第１頁
【特許文献２】特許第３６９７６８５号公報第１頁
【特許文献３】特開平２００５−９０１９６号公報第１頁
【発明の開示】
【発明が解決しようとする課題】
【０００７】
特許文献１に示された調整方法は、ラダーコードの引き出し量を目分量で掛止するものであって、固定位置を全てのテープホルダーにおいて同じくするのは難しく、全体を同じ長さに調整することは極めて困難であった。また、この掛止手段は、回転位置を固定するのが難しいという問題があった。
【０００８】
また、特許文献２では、複数個の移動部材を個々に摺動しながら所定位置に固定停止する必要があった。さらに、特許文献３では任意の位置でコードを固定することは可能であるが、あと何ｍｍ上げる又は下げるといった微調整を行うことができないといった問題があった。
【０００９】
そこで、本発明の課題は、昇降コードの末端を巻き取る回転体や移動体を移動させることなく、昇降コードの係合固定部材を係合するという一回の操作によって簡易にボトムレールの高さ位置を調節できるボトムレールの下限位置決め機構を提供することである。
【００１０】
また、本発明の前記課題は、昇降コードの末端に固着した係合固定部材を位置決め部材の係合部に係合するだけの一回の操作で簡易に長尺日除け部材の長さを数〜数十ミリ単位で微調節できるボトムレールの下限位置決め機構を提供することである。
【課題を解決するための手段】
【００１１】
上記課題を達成するために請求項１に記載の本発明は、窓枠に装着する長尺日除け部材を昇降させる昇降コードの上端をヘッドボックス内の回転軸に固着して捲回可能とすると共に、昇降コードの下端を長尺日除け部材のボトムレールに固定し、昇降コードのヘッドボックスからボトムレールまでの長さを調整することにより長尺日除け部材の長さを調節するボトムレールの下限位置決め機構において、長手方向に沿って所定間隔で複数の係合部を配列し、ボトムレールの裏面に嵌着して取り付けられる位置決め部材を備え、昇降コードの末端をボトムレールの裏面に嵌着した位置決め部材に設けられた複数の係合部の中から選ばれた１つの係合部に係合することにより昇降コードの長さを決定することを特徴とする。
【００１２】
上記課題を達成するために請求項２に記載の本発明は、請求項１に記載のボトムレールの下限位置決め機構において、位置決め部材は、ボトムレール裏側の貫通孔の近傍に嵌着したことを特徴とする。
【００１３】
上記課題を達成するために請求項３に記載の本発明は、位置決め部材は、請求項１または請求項２に記載のボトムレールの下限位置決め機構において、ボトムレールの両端側にそれぞれ穿設された貫通孔であって長尺日除け部材に備えられた２本の昇降コードがそれぞれ挿通される各貫通孔の近傍に左右対称に配置され、各昇降コードの末端に固着した各係合固定部材をそれぞれの位置決め部材に設けられた複数の係合部の中から選ばれた１つの係合部に係合することにより２本の昇降コードの長さを決定することを特徴とする。
【００１４】
上記課題を達成するために請求項４に記載の本発明は、請求項１乃至請求項３のいずれか１項に記載のボトムレールの下限位置決め機構において、昇降コードの端末には係合固定部材が取着され、係合固定部材を位置決め部材の係合部に係合することにより昇降コードの端末を位置決め部材に固定することを特徴とする。
【発明の効果】
【００１５】
本発明に係るボトムレールの下限位置決め機構によれば、長尺日除け部材を窓枠に設置した後に、窓枠の長さに応じて昇降コードを貫通孔から引き出し、この昇降コードの係合固定部材をボトムレールの位置決め部材の係合部に係合するだけで確実に長尺日除け部材の長さを微調節できる。すなわち、ボトムレールの貫通孔から係合部までの距離を調整することにより昇降コードの長さを調節することができる。
【００１６】
本発明に係るボトムレールの下限位置決め機構は長尺日除け部材の昇降コードの長さによってボトムレールの位置を決定するから窓枠に長尺日除け部材を設置後、簡易に長さの調整が正確に微調整できる。
【００１７】
本発明に係るボトムレールの下限位置決め機構によれば、ボトムレールに嵌着する位置決め部材に数ミリ間隔で係合部を穿つことで昇降コードの末端に固定した係合固定部材をこの係合部に係合するだけで昇降コードの長さを微調節することができる。従って、従来のように、窓枠に設置後、回転体を回動させることもなく、また移動体を移動させることもなく簡易に長尺日除け部材の長さを調節することができる。
【発明を実施するための最良の形態】
【００１８】
以下，本発明に係るボトムレールの下限位置決め機構の一実施形態を図面に基づいて詳細に説明する。
図１は本発明に係るボトムレールの下限位置決め機構の位置決め部材の一実施形態の要部を示す斜視図、図２は位置決め部材をボトムレールの上板に取り付けた状態を示す斜視図、図３は本発明の下限位置決め機構を備えた長尺日除け部材の全体斜視図である。
【００１９】
本発明に係るボトムレールの下限位置決め機構は、概略として、位置決め部材２と、係合固定部材４を備えて構成されている。位置決め部材２は、略直方体形状を有し、その表面には長手方向に沿って所定の間隔で複数の係合部３、３が穿設されている。位置決め部材２は、例えば、合成樹脂のような成型容易な素材によって形成されているが、特に合成樹脂に限定されるものではなく、金属製等の素材によって形成することもできる。係合部３は、後述する係合固定部材４を着脱自在に嵌合固定するための孔部であり、複数個が一定間隔で並んで設けられている。尚、各係合部３をその中央部分で連結するような溝部３ａが形成されており、この溝部３ａに昇降コード５が案内されるようになっている。
【００２０】
係合固定部材４は、上述した位置決め部材２の係合部３に挿入して係合固定される部材であり、長尺日除け部材６の昇降コード５の末端に固着されている。係合固定部材４の係合部３への係合固定するための機構は種々のものが採用可能であり、例えば、バネの力によって係合又は解除を行うスナップ式のものや、係合部３を長孔形状とすると共に、係合固定部材４の挿入側先端部に係合部３の長孔形状に即した形状とし、それにより先端部を係合部３に挿入した状態で９０°回転させることで両者を係合する機構など種々のものが採用可能である。ここで、本実施形態では昇降コード５の末端に係合固定部材４を取り付けているが、例えば、昇降コード５の末端を結わいて結び目を形成し、この結び目を位置決め部材２の係合部３に押し込んで両者を係合させる構造とすることもできる。
【００２１】
昇降コード５は、その一端（上端）が長尺日除け部材６のヘッドボックス８内に内蔵された図示しない回転軸に固着され、他端（下端）は長尺日除け部材６の下端に取り付けられたボトムレール１の貫通孔９を上面側から裏面側へ抜けるように挿通して係合固定部材４に固着されている。尚、長尺日除け部材６には積層して配置してある複数枚のスラット７があり、このスラット７の縁部には傾斜角度を調節する図示しないラダーコードが取り付けてある。このラダーコードの上端はヘッドボックス８内に配置してある回転軸に捲回固着し、下端はボトムレール１に固着してある。
【００２２】
ボトムレール１は、アルミ押出し型材で横長の略矩形状に且つ上側フレーム１ａ又は図示しない下側フレームに分割可能に形成されている。そして、上側フレーム１ａ又は図示しない下側のフレームは断面が略コの字型に湾曲して形成されると共に、他方側のフレームは相手方のフレームと嵌合固定可能な平板状に形成されている。このボトムレール１に昇降コード５を挿通するための貫通孔９が穿設されている。本実施形態ではボトムレール１の上側フレーム１ａの裏面の凹部に位置決め部材２が嵌着して固定されている。位置決め部材２の上側フレーム１ａに対する嵌着固定位置は、ボトムレール１の上側フレーム１ａの両端側に穿設された貫通孔９の近傍に配置されている。上述のように位置決め部材２には端からの距離を異ならせて数ミリ間隔で係合部３、３が穿ってあり、係合部３、３は昇降コード５の末端に固着した係合固定部材４を嵌合できる大きさとなっている。図面においてはこの係合部３、３は溝部３ａを介して連続してつながっているが、個々の係合部３が独立していてもよい。要するに係合固定部材４が係合部３と係合して脱落しなければよい。
【００２３】
ここで、通常の場合、昇降コード５は長尺日除け部材６の両端側の２箇所に設けられており、それによってボトムレール１を均等に支持し、下限位置が水平に保たれるようになっている。このように、２本の昇降コード５、５がそれぞれ挿通される各貫通孔５、５の近傍に２つの位置決め部材２、２を左右対称にそれぞれ配置し、各昇降コード５、５の末端に固着した各係合固定部材４、４をそれぞれの位置決め部材２、２に設けられた複数の係合部３、３の中から選ばれた１つの係合部３に係合することで２本の昇降コード５、５の長さを同じとすることでボトムレール１を水平に保持しつつその下限位置の調節を行うことができる。
【００２４】
次に、本発明に係るボトムレールの下限位置決め機構の操作について説明する。
図示しない窓枠に長尺日除け部材６を設置した後、図３に示すように窓枠の長さに適合する長さにしてボトムレール１の上側フレーム１ａから下側板を外し、上側フレーム１ａの裏面に嵌着されている位置決め部材２を露呈する。次に、位置決め部材２の係合部３に現在係合している昇降コード５の係合固定部材４を取り外す。そして、昇降コード５を貫通孔９から繰り出し又は戻して長尺日除け部材６の長さを決め、昇降コード５の末端に固着した係合固定部材４を位置決め部材２の複数の係合部３、３の中から選択した所定の係合部３に挿入して固定する。係合部３の位置は数ミリ間隔で配置してあるから昇降コード５の長さも数ｍｍ〜数十ｍｍの範囲で微調整することができる。
【図面の簡単な説明】
【００２５】
【図１】本発明に係るボトムレールの下限位置決め機構の位置決め部材の一実施形態の要部を示す斜視図である。
【図２】位置決め部材をボトムレールの上側フレームに取り付けた状態を示す斜視図である。
【図３】本発明に係るボトムレールの下限位置決め機構を備えた長尺日除け部材の正面図である。
【符号の説明】
【００２６】
１    ボトムレール
１ａ      上側フレーム
２    位置決め部材
３    係合部
４    係合固定部材
５    昇降コード
６    長尺日除け部材
７    スラット
８    ヘッドボックス
９    貫通孔
【図１】
2010112060.tif 000003
【図２】
2010112060.tif 000004
【図３】
2010112060.tif 000005